(57)【特許請求の範囲】
【請求項１】
申込者の個人情報を記入するための情報記入部と申込者毎に固有の視読可能な識別情報とを設けるとともに、前記識別情報に関連する機械読取り可能な機械読取情報を備えた再粘着可能なラベルを分離可能に設けた申込書と、前記ラベルを貼着するためのラベル貼着部を備え、貼着した前記ラベルを被覆するための透視可能なシートを有するカード部材とからなり、このカード部材と前記申込書とを別体に構成したことを特徴とするカード発行用部材の組。
【発明の詳細な説明】
【０００１】
【発明の属する技術分野】
本発明は、例えば、店頭等で不特定多数の顧客に対して会員カード等の各種カードを発行するためのカード発行用部材の組に関する。
【０００２】
【従来の技術】
従来のカード発行用部材は、申込書にカード部材が分離可能に付設されていて、カードにはあらかじめ入会申込書に表示してある会員コードと同じ識別コードが表示されたものが一般的であった。そして、カードの発行時には、申込者が、申込書に自身の個人情報に係る所定事項を記入して店員に渡し、店員は、受け取った申込書からカード部材を外す一方、申込書にあらかじめ表示された会員コードを基に、申込者情報をいわゆる紐付けして管理している。
【０００３】
【発明が解決しようとする課題】
上記従来の方法では、申込書および会員カードにあらかじめ同じ識別コードが印刷されているため、例えば、申込書に誤った記載をしてしまったり、破損したりして申込書を破棄する場合は、カードもいっしょに破棄しなければならず不経済であるという不都合があった。
【０００４】
本発明は、前述の不都合を解消したカード発行部材の組を提供することを目的とする。
【０００５】
【課題を解決するための手段】
前記目的を達成するために、請求項１に記載した本発明は、申込者の個人情報を記入するための情報記入部と申込者毎に固有の視読可能な識別情報とを設けるとともに、前記識別情報に関連する機械読取り可能な機械読取情報を備えた再粘着可能なラベルを分離可能に設けた申込書と、前記ラベルを貼着するためのラベル貼着部を備え、貼着した前記ラベルを被覆するための透視可能なシートを有するカード部材とからなり、このカード部材と前記申込書とを別体に構成したものである。
【０００６】
【発明の実施の形態】
以下に、本発明を会員カードの発行に適用した場合の好適な実施の形態を添付図面に基づいて詳細に説明する。ここにおいて、添付図面の図１は入会申込書の表面図、図２は同じく裏面図、図３は図１のＹ−Ｙ線断面図、図４は会員カードの斜視図、図５は図４のＸ−Ｘ線断面図、図６はカード部材にラベルを貼着する前の状態を示す斜視図、図７は同じくラベルを貼着した状態の斜視図、図８は完成した会員カードの斜視図、図９は申込書のラベルの分離構造に関する他の実施形態を示す断面図である。
【０００７】
図１〜図８に示したように、会員カード発行部材の組は、入会申込書１とカード部材２とから構成するもので、該入会申込書１とカード部材２とは別体に設けるものである。
【０００８】
図１〜図３に示すように、前記入会申込書１は、申込者の住所、氏名、電話番号等の個人情報を筆記で記入するための情報記入部３および申し込み者毎の固有の識別情報である「１２３４５６」という数字からなる視読可能な会員コード４を備えた申込紙片５と、この申込紙片５と切り用ミシン目６を境にして連接し、前記会員コード４に関連する機械読取り可能な会員コードであるバーコード７を備えた、剥離可能で再貼着可能なラベル８を有するラベル支持紙片９とからなる。このラベル支持紙片９には、切り用ミシン目１０を境にしてラベル８とは反対側に入会案内の情報が印刷してある。
【０００９】
図1および図３に明示したように、ラベル８は、ラベル支持紙片９に切断線９ａで区画し、ラベル支持紙片９の裏面には、前記切断線９ａで囲まれた部分より若干広い範囲に粘着剤１１を塗布してある。また、ラベル８の表面には、前記視読可能な会員コード４と同一の会員コード１２を、前記バーコード７の下に印刷してある。
【００１０】
図2および図３に明示したように、ラベル支持紙片９の裏面には、前記粘着剤１１の塗布部分に対応するサイズで、シート１３ａに剥離剤１３ｂを塗布してなる剥離紙１３を剥離可能に貼着してある。そして、前記切断線９ａに囲まれた部分の縁を摘んでをめくり上げると、剥離紙１３から剥がれて再貼着可能なラベル８が得られるのである。
【００１１】
図４〜図６に明示したように、カード部材２は、台紙１４と、この台紙１４と同一サイズの透視可能で、裏面に粘着剤１５を塗布した透視可能なシートであるラミネートフィルム１６と、このラミネートフィルム１６のほぼ半分の大きさで、ラミネートフィルム１６の図面上右半分の部分に剥離可能に貼着させた剥離紙１７とからなり、台紙１４とラミネートフィルム１６を重ね合わせ、台紙１４の左半分の部分に、ラミネートフィルム１６の粘着剤１５が露出した部分を剥離困難に貼着して構成するものである。そして、ラミネートフィルム１６の剥離紙１７が存在する部分は台紙１４には貼着しない状態となる。
【００１２】
また、前記台紙１４表面側における図面上左半分の部分（ラミネートフィルム１６が剥離困難に貼着する部分）には、申込者が入会する「×××会」という会の名称１８と、「会員証」というカード名１９とが印刷され、ラミネートフィルム１６を透して視認可能であり（図４参照）、図面上右半分の部分（ラミネートフィルム１６が貼着していない部分）には、前記ラベル８の四隅を合致させ得る鉤状表示の貼着案内線２０と、申込者が筆記で自身の氏名を記入するための氏名記入欄２１と、販売店側で記入したり、日付用のゴム印で捺印する有効期限日付欄２２とが印刷されている。前記貼着案内線２０で囲まれた部分がラベル貼着部となる。
【００１３】
続いて、以上のように構成した会員カード発行用部材の組による会員カードの発行作業について説明する。例えば店員が、不特定多数の顧客の中から会員になりたい旨の申出を受けたら、その申込者に入会申込書１とカード部材２を渡し、申込紙片５の情報記入部３に住所、氏名、電話番号等の個人情報を、また、カード部材２の氏名記入欄２１に氏名を、それぞれ筆記によって記入してもらう。次に、この入会申込書１とカード部材２を受け取った店員等は、入会申込書１のラベル支持紙片９の切断線９ａに囲まれた部分の縁を摘んでをめくり上げ、剥離紙１３からラベル８を剥がし、カード部材２のラミネートフィルム１６を剥離紙１７とともにめくり上げて台紙１４の前記貼着案内線２０にラベル８の四隅を合わせて貼着する。このようにラベル８を貼着したら、ラミネートフィルム１６から剥離紙１７を剥がして粘着剤１５を露出させ、台紙１４の前記右半分の部分に前記ラミネートフィルム１６を貼着する。このようにラミネートフィルム１６によって前記ラベル８を被覆し会員カードが完成する。
【００１４】
上述したように、上記会員カード発行用部材の組によれば、店頭等で短時間にかつ容易に会員カードを発行することができ、また、入会申込書１とカード部材２が別体となっているので、従来の、あらかじめ会員コードが表示されたもののように、入会申込書を破棄するとカード部材も破棄しなければならないものとは違い、経済的であるという利点があるほか、前記のように、入会申込書１とカード部材２が別体となっていることによって、異なる支店間でカード部材のみを融通しあうことも可能であるという利点がある。
【００１５】
なお、本発明は上記実施形態になんら限定されるものではなく、例えば、ラベル８は、図９に示すように、剥離剤１３ｂを塗布したラベル支持片９上に粘着剤１１を介して剥離可能に設けてもよい。また、ラベル８に申込者の氏名を記入するように構成して、カード部材２の氏名記入欄２１を設けなくてもよい。この場合、会員カード発行に際し、店員等が申し込み者に入会申込書１のみを渡せばよい。
【００１６】
【発明の効果】
以上のように、請求項１に記載した本発明は、短時間にかつ容易に会員カードを発行することができ、また、入会申込書とカード部材が別体となっているので、従来の、あらかじめ会員コードが表示されたもののように、入会申込書を破棄するとカード部材も破棄しなければならないものとは違い、経済的であるほか、異なる支店間でカード部材のみを融通しあうことも可能であり、さらには、識別情報を機械読取情報の形態でも表示してあるので、読み取った情報をコンピューターに入力し、顧客データの管理に利用できるという効果を奏する。
【図面の簡単な説明】
【図１】入会申込書の表面図。
【図２】同じく裏面図。
【図３】図１のＹ−Ｙ線断面図。
【図４】会員カードの斜視図。
【図５】図４のＸ−Ｘ線断面図。
【図６】カード部材にラベルを貼着する前の状態を示す斜視図。
【図７】同じくラベルを貼着した状態の斜視図。
【図８】完成した会員カードの斜視図。
【図９】申込書のラベルの分離構造に関する他の実施形態を示す断面図。
【符号の説明】
１  入会申込書
２  カード部材
３  情報記入部
４  会員コード
５  申込紙片
６  切り用ミシン目
７  バーコード
８  ラベル
９  ラベル支持紙片
９ａ  切断線
１０  切り用ミシン目
１１  粘着剤
１２  会員コード
１３  剥離紙
１３ａ  シート
１３ｂ  剥離剤
１４  台紙
１５  粘着剤
１６  ラミネートフィルム
１７  剥離紙
１８  会の名称
１９  カード名
２０  貼着案内線
２１  氏名記入欄
２２  有効期限日付欄
【図１】
0003667552.tif 000002
【図２】
0003667552.tif 000003
【図３】
0003667552.tif 000004
【図４】
0003667552.tif 000005
【図５】
0003667552.tif 000006
【図６】
0003667552.tif 000007
【図７】
0003667552.tif 000008
【図８】
0003667552.tif 000009
【図９】
0003667552.tif 000010